(57)【要約】      （修正有）【課題】簡易な手段により異形物を装置に固定的に締め付け確実に保持可能にし、装置への異形物保持における作業容易性及び安全性を確保すると共に時間的ロスを低減し、異形物加工時における作業効率の向上に資するような異形物の保持装置を提供する。【解決手段】基台１０の両端部に一対の支持体１２を配し、異形物Ａの当接面Ａ１に倣った面を上端面に形成した受けゴマ２０を、支持体１２の上端部に夫々着脱自在に取り付け、支持体１２の下端部の前方及び後方には、回動軸受３３，４３を軸支するための回動軸１４を夫々設け、締付機構３１、フック引掛軸３２、回動軸受３３を備えたリンク材３０を、前記回動軸受３３によって回動軸１４に回動可能に備え付け、先端にフック４２を備え、後端に回動軸受４３を備えた、自由曲線状に折り曲げ可能なチェーン体４１からなるリーフチェーン４０を、前記回動軸受４３によって回動軸１４に回動可能に備え付けた。【選択図】図１
2014046377.tif 000002
【特許請求の範囲】
【請求項１】
異形物の加工に際し、該異形物を締め付け保持するための装置であって、
基台と、支持体と、受けゴマと、リンク材と、リーフチェーンと、から成り、
所要長さ、幅、高さを有する基台の両端部に、ブラケットを介して所要高さを有する一対の支持体を配し、異形物の当接面に倣った面が形成されて成る上端面を有する受けゴマが、前記支持体の上端部に夫々着脱自在に取り付けられ、前記支持体の下端部における前方及び後方には、回動軸受を軸支するための回動軸が夫々設けられ、中間に締付機構を備えると共に該締付機構の上方にフック引掛軸が備えられ且つ下方に回動軸受が備えられて成るリンク材において、該回動軸受を前記支持体の下端部前方に設けられた回動軸に回動可能に備え付け、自由曲線状に折り曲げ可能なチェーン体の先端にフックが備えられると共に後端に回動軸受が備えられて成るリーフチェーンにおいて、該回動軸受を前記支持体の下端部後方に設けられた回動軸に回動可能に備え付けて構成され、
前記受けゴマの上端面に異形物の当接面を当接させつつ該異形物を載置し、リーフチェーンのチェーン体を異形物の押さえ面形状に合わせて自由に折り曲げつつ当接させることで該異形物を上方から押さえ付け、該リーフチェーンの先端に備えられたフックをリンク材に備えられたフック引掛軸に引掛け、その状態でリンク材の締付機構によりリーフチェーンを締め上げることで、異形物を締め付け保持することを特徴とする異形物締付保持装置。
【請求項２】
前記異形物締付保持装置において、
前記リンク材における締付機構が、ターンバックルから成ることを特徴とする請求項１に記載の異形物締付保持装置。
【請求項３】
前記異形物締付保持装置において、
前記リーフチェーンにおけるチェーン体が、ローラーチェーン構造であることを特徴とする請求項１または請求項２のいずれかに記載の異形物締付保持装置。
【請求項４】
前記異形物締付保持装置において、
前記リーフチェーンにおけるチェーン体の異形物との当接箇所に、緩衝材が備えられていることを特徴とする請求項１から請求項３のいずれかに記載の異形物締付保持装置。
【発明の詳細な説明】
【技術分野】
【０００１】
本発明は、異形物の加工に際し、該異形物を締め付けて確実に保持するための装置に関するものである。
【背景技術】
【０００２】
異形物は３次元的に複雑な形状をしているため、加工に際して該異形物を保持するための態様が問題となる。すなわち、異形物における被載置面の形状が複雑な形状をしていることから、該異形物に歪み等を発生させることなく保持することが非常に難しい。そこで従来より、中間に挿入孔を備える一対の支持体を基台上に設置し、該挿入孔に異形物の両端部を夫々挿入した状態で隙間に鉛を流し込んで固定することで、該異形物を保持する態様が採られている。
【０００３】
かかる異形物の保持態様は、異形物の形状に関係なく確実に保持することが可能な態様であるが、一の異形物ごとに鉛を溶融して流し込み、固化後に異形物を加工し、加工終了後に再度鉛を溶融して除去するという煩雑な手間を要するとと共に作業に要する時間的ロスという問題もあり、さらには、鉛の溶融に際し有毒ガスが発生する危険もあり、作業の安全性にも難があるものであった。
【０００４】
また従来の異形物の保持態様として、異形物に与える歪みを無視して、強制的に保持して捨て削りという平面加工を行った後、該加工面を仮の基準受け面として保持を行い、正規の機械加工等を行うようにする態様も採られている。
【０００５】
しかしながら、かかる捨て削りによる異形物の保持態様は、捨て削りを行う際に大きな荷重を加えて異形物を強制的に押さえ付けることとなるため、その押さえ付けた箇所に局所的な歪みを与えることとなって、捨て削り加工後に押さえ付けていた荷重を緩めたとしても、部分的に歪みが残って変形してしまう場合があって、結果として基準受け面を平面状にすることが難しく、捨て削り加工後に更に平面度修正を行うための機械加工を行う必要があるといった問題があった。
【０００６】
上記の問題点を解決すべく、特開２００３−２００３２５号公報（特許文献１）に記載されているような、「異形物保持装置」の技術提案がなされている。かかる「異形物保持装置」の技術内容は、側方が枠体で包囲され、収容空間を内部に形成するケース、収容空間内を一方向に移動し当接面を設けたあて板と、六角形状大径部、大径部と位置決めプレートの間に設けたバネ、異形物底面に沿い均等な支持力の載置面にする先端部を有し、収容空間内に配置された六角保持ピン、大径部に当接面を当接させたあて板を移動させて接触面を加圧し、相互に締付ける押しネジを設けた構成となっている。ことにより、一方向からのあて板による締め付けで、六角保持ピンが隣接する六角保持ピンを確実・強固に拘束でき、というものである。
【０００７】
上記「異形物保持装置」によれば、確かに異形物であっても、歪み等を生ずることなく異形物を保持できる載置面を六角保持ピンの先端で形成することができる構造となっているが、載置された異形物の上面及び側面における数箇所を押さえ金により点若しくは小面積の面で押さえる態様となっていると共に、異形物の上面が工具による強い押圧で押された場合に、六角保持ピンがその押圧によって沈み込んでしまうことが想定され、確実且つ固定的な保持というには難があると共に、加工時の作業性に問題があるものであった。
【先行技術文献】
【特許文献】
【０００８】
【特許文献１】特開２００３−２００３２５号公報
【発明の概要】
【発明が解決しようとする課題】
【０００９】
本発明は、上記問題点に鑑み、簡易な手段により異形物を装置に固定的に締め付け確実に保持することを可能にし、装置への異形物保持における作業容易性及び安全性を確保すると共に時間的ロスを低減し、さらに異形物加工時における作業効率の向上に資するような異形物を保持するための装置を提供することを課題とするものである。
【課題を解決するための手段】
【００１０】
上記課題を解決するため、本発明は、基台と、支持体と、受けゴマと、リンク材と、リーフチェーンと、から成る異形物締付保持装置であって、所要長さ、幅、高さを有する基台の両端部に、ブラケットを介して所要高さを有する一対の支持体を配し、異形物の当接面に倣った面が形成されて成る上端面を有する受けゴマが、前記支持体の上端部に夫々着脱自在に取り付けられ、前記支持体の下端部における前方及び後方には、回動軸受を軸支するための回動軸が夫々設けられ、中間に締付機構を備えると共に該締付機構の上方にフック引掛軸が備えられ且つ下方に回動軸受が備えられて成るリンク材において、該回動軸受を前記支持体の下端部前方に設けられた回動軸に回動可能に備え付け、自由曲線状に折り曲げ可能なチェーン体の先端にフックが備えられると共に後端に回動軸受が備えられて成るリーフチェーンにおいて、該回動軸受を前記支持体の下端部後方に設けられた回動軸に回動可能に備え付けて構成されている。
【００１１】
また、本発明は、前記異形物締付保持装置において、前記リンク材における締付機構が、ターンバックルから成る構成を採用することができる。
【００１２】
さらに、本発明は、前記異形物締付保持装置において、前記リーフチェーンにおけるチェーン体が、ローラーチェーン構造である構成となっている。。
【００１３】
そしてまた、本発明は、前記異形物締付保持装置において、前記リーフチェーンにおけるチェーン体の異形物との当接箇所に、緩衝材が備えられている構成を採ることもできる。
【発明の効果】
【００１４】
本発明にかかる異形物締付保持装置によれば、一の異形物ごとに鉛を溶融して流し込み、固化後に異形物を加工し、加工終了後に再度鉛を溶融して除去するという煩雑な手間が不要であって、簡易な手段により異形物を装置に固定的に締め付け確実に保持することが可能であるため、異形物を締め付けて固定的に保持することが容易であるため、装置への異形物保持における作業容易性及び時間的ロスの低減に資するといった、優れた効果を奏する。
【００１５】
また、本発明にかかる異形物締付保持装置によれば、鉛の溶融に伴って有毒ガスが発生する危険が無いため、装置への異形物保持における安全性が確保されるといった、優れた効果も奏する。
【００１６】
さらに、本発明にかかる異形物締付保持装置によれば、装置上にて異形物に歪みが発生することなく、かつ、大きな押圧が負荷されても異形物が確実に固定された状態で保持され動くことがないため、異形物加工時にける作業効率の向上に資するといった、優れた効果を奏する。
【図面の簡単な説明】
【００１７】
【図１】本発明にかかる異形物締付保持装置の実施形態を示す斜視図である。
【図２】本発明にかかる異形物締付保持装置の実施形態を示す斜視図である。
【図３】本発明にかかる異形物締付保持装置の実施形態を示す側面図である。
【図４】本発明にかかる異形物締付保持装置の実施形態を示す側面図である。
【図５】本発明にかかる異形物締付保持装置の実施形態を示す背面図である。
【図６】本発明にかかる異形物締付保持装置の実施形態を示す平面図である。
【発明を実施するための形態】
【００１８】
本発明の異形物締付保持装置１は、受けゴマの上端面に異形物の当接面を当接させつつ該異形物を載置し、リーフチェーンのチェーン体を異形物の押さえ面形状に合わせて自由に折り曲げつつ当接させることで該異形物を上方から押さえ付け、該リーフチェーンの先端に備えられたフックをリンク材に備えられたフック引掛軸に引掛け、その状態でリンク材の締付機構によりリーフチェーンを締め上げることで、異形物を締め付け保持することを最大の特徴とする。以下、本発明にかかる異形物締付保持装置１の実施形態を、図面に基づき説明する。
【００１９】
なお、本発明は、下記の実施例に示した構成・態様に限定されるものではなく、本発明の技術的思想の要旨に逸脱しない範囲で、任意に変更することができるものである。
【００２０】
図１乃至図６は、本発明にかかる異形物締付保持装置１の実施形態を示しており、図１及び図２は斜視図、図３及び図４は側面図、図５は背面図、図６は平面図である。
本発明にかかる異形物締付保持装置1は、図面に示すように、基台１０と、支持体１２と、受けゴマ２０と、リンク材３０と、リーフチェーン４０と、から構成されている。
【００２１】
基台１０は、所要長さ、幅、高さを有して構成され、図面では板状である場合を示している。かかる基台１０は、本発明にかかる異形物締付保持装置１の基礎を為すものであって、該基台１０上には装置の各構成要素が備えられることとなり、その状態で装置全体の安定性を担保し得るべく、ある程度の重量を有して成る。
【００２２】
前記基台１０の両端部には、一対の支持体１２が配置される。かかる支持体１２は所要高さを有して成り、また、該支持体１２の下端にはブラケット１１が備えられている。すなわち、支持体１２は、該ブラケットを介して基台１０に固定されることとなる。
【００２３】
前記支持体１２の下端部における前方及び後方には、夫々回動軸１４が設けられている。かかる回動軸１４は、後述するリンク材３０に備えられる回動軸受３３及びリーフチェーン４０に備えられる回動軸受４３を夫々軸支するものであって、前方側の回動軸１４にはリンク材３０の回動軸受３３が、後方側の回動軸１４にはリーフチェーン４０の回動軸受４３が夫々備え付けられることとなる。なお、かかる回動軸１４を設けるための構造については、特に限定はないが、例えば図面に示すように、支持体１２の下端部から前方あるいは後方に一対の突片１３を延伸させ、該一対の突片１３間に回動軸１４を架け渡す態様が考え得る。
【００２４】
前記支持体１２の上端部には、受けゴマ２０が取付機構２２を介して着脱自在に取り付けられている。かかる取付機構２２の構造については、特に限定するものではないが、例えば嵌合や螺着などにより着脱する構造となっている。受けゴマ２０の上端面２１は、異形物Ａの当接面Ａ１に倣った面が形成されて成り、該受けゴマ２０上に異形物Ａが載置されて、左右夫々の受けゴマ２０によって異形物Ａが支持される状態となる。
【００２５】
ところで、異形物Ａはその形状が左右対称ではないため、載置される異形物Ａの当接面Ａ１形状に合わせて、異なる上端面２１形状を有する受けゴマ２０が、左右の各支持体１２上端部に夫々取り付けられる。かかる受けゴマ２０は、一の異形物締付保持装置１につき複数ペアが用意され、加工対象たる異形物Ａの形状に応じて着脱される。
【００２６】
リンク材３０は、中間に締付機構３１が備えられている。そして該締付機構３１の上方にはフック引掛軸３２が備えられ、後述するリーフチェーン４０に備えられるフック４２が引掛けられる。また、締付機構３１の下方には回動軸受３３が備えられ、前記支持体１２の下端部前方に設けられた回動軸１４に備え付けられて、回動可能に軸支されている。なお、リンク材３０に備えられた締付機構３１は、後述するリーフチェーン４０がフック引掛軸３２に引掛けられた状態で、該リーフチェーン４０を締め上げ、あるいは、逆に緩めるためのものであって、その構造に特に限定はない。
【００２７】
かかる締付機構３１について、図面に示すような、ターンバックル３１を採用することが考え得る。このとき、回動軸受３３は支持体１２の回動軸１４に軸支されているため、ターンバックル３１を回転しても、上下に移動することはできない。したがって、ターンバックル３１を回転することで、フック引掛軸３２が上下に移動することとなる。
【００２８】
リーフチェーン４０は、自由曲線状に折り曲げ可能なチェーン体４１から成り、該チェーン体４１により、受けゴマ２０上に載置された異形物Ａをその上方から押さえ付けるものである。かかるチェーン体４１の先端には、フック４２が備えられ、前記リンク材３０に備えられるフック引掛軸３２に引掛けられる。また、チェーン体４１の後端には回動軸受４３が備えられ、前記支持体１２の下端部後方に設けられた回動軸１４に備え付けられて、回動可能に軸支されている。なお、チェーン体４１の構造については、鎖や紐状物など、自由曲線状に折り曲げ可能であれば、特に限定するものではない。
【００２９】
かかるチェーン体４１の構造について、図面に示すように、ローラーチェーン構造を採用することが考え得る。すなわち、ローラー・ブッシュ・内側プレート・外側プレート・ピンの各構成要素からなるローラーチェーン構造であり、折り曲げ自在性や異形物Ａとの密着性、強度等に優れる。
【００３０】
ところで、かかるチェーン体４１における異形物Ａとの当接箇所に、図面に示すように、緩衝材４４を備える態様が考え得る。すなわち、異形物Ａを強固に保持すべくリーフチェーン４０を強力に締め付けた場合に、チェーン体４１により異形物Ａの押さえ面Ａ２を傷付けあるいは変形させてしまう可能性もある。そこでチェーン体４１における異形物Ａとの当接箇所に緩衝材４４を備えることで、かかる傷や変形を防止することが可能となる。
【００３１】
本発明にかかる異形物締付保持装置１は、以上の各構成要素から構成されてなる。上記各構成要素の材質については、特に限定するものではないが、異形物Ａを載置して加工する装置であることから、ある程度の重量を備えることが望ましく、例えば全構成要素を金属製とすることが考え得る。なお、構成要素ごとに材質を変更することも可能である。
【００３２】
次に、該異形物締付保持装置１の使用態様について説明する。
始めに、加工対象たる異形物Ａの当接面Ａ１に合わせて、各支持体１２上端部に受けゴマ２０が螺着等によって取り付けられる。
次に、受けゴマ２０の上端面２１に異形物Ａの当接面Ａ１が当接する状態で、受けゴマ２０上に異形物Ａが載置される。
受けゴマ２０上に載置された異形物Ａを、リーフチェーン４０により上方から押さえ付ける。このとき、リーフチェーン４０のチェーン体４１を異形物Ａの押さえ面Ａ２の形状に合わせて自由に折り曲げつつ当接させることで、該チェーン体４１を異形物Ａの押さえ面Ａ２に巻き付けるように押さえ付ける。
リーフチェーン４０により異形物Ａを押さえ付けた状態で、該リーフチェーン４０の先端に備えられたフック４２を、リンク材３０に備えられたフック引掛軸３２に引掛ける。
最後に、リンク材３０のターンバックル３１を回転し、フック引掛軸３２を回動軸受３３方向に移動させることで、該フック引掛軸３２に引掛けられたフック４２を介してリーフチェーン４０が引っ張られて締め上げられる。
【００３３】
以上の各工程を経て、異形物Ａは異形物締付保持装置１上に締め付け固定され、この状態で異形物Ａを他の加工機械等により加工することとなる。
なお、加工後に異形物Ａを異形物締付保持装置１から取り外す場合は、上記工程と逆の工程を行えばよい。
【産業上の利用可能性】
【００３４】
本発明は、異形物Ａの加工に際し、該異形物Ａの当接面Ａ１が受けゴマ２０の上端面２１に形状合致しつつ当接・載置された状態で、該異形物Ａの押さえ面Ａ２の形状に合わせてリーフチェーン４０を自由に折り曲げつつ当接させて上方から押さえ付け、リンク材３０の締付機構３１により該リーフチェーン４０を締め付けて確実に異形物Ａを保持することが可能であって、異形物Ａの装置への取付容易性に優れると共に、作業上の時間的ロスの低減に資し、また、作業上の安全性が確保されると共に、異形物Ａ加工時にける作業効率の向上に資するものである。したがって、本発明にかかる異形物締付保持装置１は、優れた効果を発揮して、異形物Ａを加工するあらゆる場面において有効に機能するものであり、産業上の利用可能性は大であると思料する。
【符号の説明】
【００３５】
１    異形物締付保持装置
１０    基台
１１    ブラケット
１２    支持体
１３    突片
１４    回動軸
２０    受けゴマ
２１    上端面
２２    取付機構
３０    リンク材
３１    締付機構（ターンバックル）
３２    フック引掛軸
３３    回動軸受
４０    リーフチェーン
４１    チェーン体
４２    フック
４３    回動軸受
４４    緩衝材
Ａ    異形物
Ａ１  当接面
Ａ２  押さえ面
【図１】
2014046377.tif 000003
【図２】
2014046377.tif 000004
【図３】
2014046377.tif 000005
【図４】
2014046377.tif 000006
【図５】
2014046377.tif 000007
【図６】
2014046377.tif 000008